(57)【要約】      （修正有）【課題】モニターテレビのディスプレイ装置を台部に対して起倒可能に支持する際に、液晶ディスプレイ装置の使用角度範囲におけるフリクショントルクと、それ以外の時の傾斜角度におけるフリクショントルクと異ならしめた傾動装置を提供する。【解決手段】モニターテレビのディスプレイ装置のような被傾動体を台部に対して傾動させる傾動装置であって、この傾動装置を、シャフト３と、このシャフト３に対し回動可能に取り付けたブラケットと、このブラケット４と前記シャフトの間に設けたフリクション機構５とから成るフリクションヒンジＢで構成し、このフリクション機構５を前記ディスプレイ装置の使用時における通常のフリクショントルクと、前記ディスプレイ装置の梱包時における強いフリクショントルクとを２段階に分けて創出できるように構成することにより、前記モニターテレビの搬送時における安全性を高める。【選択図】          図３
2004229106.tif 000002
【特許請求の範囲】
【請求項１】
モニターテレビのディスプレイ装置のような被傾動体を台部に対して傾動させる傾動装置であって、この傾動装置を、シャフトと、このシャフトに対し回動可能に取り付けたブラケットと、このブラケットと前記シャフトの間に設けたフリクション機構とから成るフリクションヒンジで構成し、このフリクション機構を前記ディスプレイ装置の使用時における通常のフリクショントルクと、前記ディスプレイ装置の梱包時における強いフリクショントルクとを２段階に分けて創出できるように構成することにより、前記モニターテレビの搬送時における安全性を高めたことを特徴とする、傾動装置。
【請求項２】
前記フリクション機構を、前記ブラケットの一方の側に圧接させて前記シャフトに拘束させつつ設けた第１固定フリクションワッシャーと、前記ブラケットの他方の側に取り付けた外周に切欠部を設けて成る回転フリクションワッシャーと、この回転フリクションワッシャーに圧接させて前記シャフトに拘束させつつ設けた前記回転フリクションワッシャーの回転角度によって前記切欠部に嵌入する状態を離脱して前記回転フリクションワッシャーと圧接する状態を形成するフリクション凸部を有する第２固定ワッシャーを有するもので構成したことを特徴とする、請求項１に記載の傾動装置。
【発明の詳細な説明】
【０００１】
【発明の属する技術分野】
この発明は、液晶テレビやモニターテレビ或は液晶表示パネルやプラズマテレビのような被傾動体を台部に対してディスプレイ装置を角度調節する際に用いて好適な傾動装置に関する。
【０００２】
【従来の技術】
従来、この種の傾動装置として、以下の公知文献に示されたものが公知である。
【０００３】
【特許文献１】特開２０００−２４９１３３号公開特許公報
【特許文献２】特開２０００−２５７３２４号公開特許公報
【０００４】
これらの公知構成の傾動装置は、いずれもディスプレイ装置の使用角度において必要な回転トルクを創出するトーションスプリングを用いているため使用角度以外の傾斜角度ではトーションスプリングの回転トルクが大きすぎてディスプレイ装置を台部に対して安定的に停止保持させておくことができなかった。
【０００５】
また、フリクション機構はディスプレイ装置のどの傾斜角度においても一定の回転トルクを創出する構成のものであり、ディスプレイ装置の傾斜角度によって回転トルクを変化させる構成のものではなかった。
【０００６】
【発明が解決しようとする課題】
近年、液晶ディスプレイ装置を採用したとくにモニターテレビは、運搬時に梱包体積を少なくするために、該液晶ディスプレイ装置を台部に対して９０°折り曲げた状態で梱包することが求められており、傾動装置自体が液晶ディスプレイ装置を台部に対して９０°折り曲げた状態で安定的にロック保持させる機能を有することが求められている。
【０００７】
この発明の目的は、モニターテレビのディスプレイ装置を台部に対して起倒可能に支持する際に、液晶ディスプレイ装置の使用角度範囲におけるフリクショントルクと、それ以外の時の傾斜角度におけるフリクショントルクと異ならしめた傾動装置を提供せんとするにある。
【０００８】
【課題を解決するための手段】
上述した目的を達成するためにこの発明は、モニターテレビのディスプレイ装置のような被傾動体を台部に対して傾動させる傾動装置であって、この傾動装置を、シャフトと、このシャフトに対し回動可能に取り付けたブラケットと、このブラケットと前記シャフトの間に設けたフリクション機構とから成るフリクションヒンジで構成し、このフリクション機構を前記ディスプレイ装置の使用時における通常のフリクショントルクと、前記ディスプレイ装置の梱包時における強いフリクショントルクとを２段階に分けて創出できるように構成することにより、前記モニターテレビの搬送時における安全性を高めたことを特徴とする。
【０００９】
その際にこの発明は、前記フリクション機構を、前記ブラケットの一方の側に圧接させて前記シャフトに拘束させつつ設けた第１固定フリクションワッシャーと、前記ブラケットの他方の側に取り付けた外周に切欠部を設けて成る回転フリクションワッシャーと、この回転フリクションワッシャーに圧接させて前記シャフトに拘束させつつ設けた前記回転フリクションワッシャーの回転角度によって前記切欠部に嵌入する状態を離脱して前記回転フリクションワッシャーと圧接する状態を形成するフリクション凸部を有する第２固定ワッシャーを有するもので構成するものである。
【００１０】
【発明の実施の形態】
図面はこの発明の一実施の形態を示し、図１において指示記号Ａは被傾動体の一例としてのモニターテレビ、指示記号１のものはこのモニターテレビＡの液晶ディスプレイ装置から成るディスプレイ装置であり、指示記号２のものはこのディスプレイ装置１を支える台部である。この発明に係るモニターテレビの傾動装置は、液晶ディスプレイ装置から成るディスプレイ装置１を台部２に対し起倒或は傾動可能に連結するものであって、図２に示したように、左右一対のフリクションヒンジＢ，Ｃから構成されるものである。
【００１１】
この左右一対のフリクションヒンジＢ，Ｃは、左右対称のものであるので、以下左側のフリクションヒンジＢの構成について説明する。
【００１２】
図面によれば、とくに図１乃至図２において、台部２上にはシャフト３が取り付けられており、このシャフト３に回動可能にブラケット４が取り付けられ、このブラケット４にディスプレイ装置１が取り付けられている。
【００１３】
シャフト３は、図２乃至図７に示したように、台部２上に固着する断面略半円形状を呈した大径の取付部３ａと、ブラケット４及びフリクション機構５を設けた中径の変形軸部３ｂと小径の変形軸部３ｃとから成り、小径の変形軸部３ｃの自由端側には雄ネジ部３ｄが設けられている。中径の変形軸部３ｂには、その中心部軸方向に設けた変形挿通孔６ａを係合挿通させて縁部にストッパー片６ｂを曲設したストッパーワッシャー６が取り付けられており、以下順次左側へ第１固定フリクションワッシャー７、ブラケット４、このブラケットに固定された回転フリクションワッシャー８、第２固定フリクションワッシャー９、複数の皿ばね１０、押え用ワッシャー１１の順で、各々の変形挿通孔７ａ、円形挿通孔４ａ、円形挿通孔８ａ、変形挿通孔９ａ、複数の円形挿通孔１０ａ、及び変形挿通孔１１ａにシャフト３の小径の変形軸部３ｃを挿通させつつ配設されている。
【００１４】
そして、シャフト３の雄ネジ部３ｄには、締付ナット１２が捻子着され、皿ばね１０を介してブラケット４の側と回転フリクションワッシャー８の一側に、第１固定フリクションワッシャー７と第２固定フリクションワッシャー９を押圧させている。
【００１５】
即ち、回転フリクションワッシャー８は、ブラケット４側に円形挿通孔４ａを挟んで設けたボス部４ｂ，４ｂに係合孔８ｂ，８ｂを嵌合させることにより該ブラケット４と一体化されており、ブラケット４と共に回転するが、第１固定フリクションワッシャー７と第２固定フリクションワッシャー９は、シャフト３の小径の変形軸部３ｃを各々の変形挿通孔へ通すことによって係合固定されているため、ブラケット４と共に回転しない。
【００１６】
尤も、ここのところは、ボス部を第２固定フリクションワッシャー９に設け、係合孔をブラケット４側に設けても良い。さらにブラケット４を台部２上へ固定し、シャフト３側へディスプレイ装置１を取り付けた場合には、ブラケット４と回転フリクションワッシャー８は非回転となり、第１固定フリクションワッシャー７と第２固定フリクションワッシャー９は回転することになる。したがって、このような場合には、回転フリクションワッシャー８を回転フリクションワッシャーと読み替え、第１及び第２固定フリクションワッシャー７，９を、第１及び第２回転フリクションワッシャーと読み替えることになる。
【００１７】
回転フリクションワッシャー８の外周には、幅の広い切欠部８ｃ，８ｃと幅の狭い切欠部８ｄ，８ｄが互いに対向位置に１８０°間隔で一対ずつ設けられており、第２固定フリクションワッシャー９の方には、この切欠部８ｃ，８ｃ・８ｄ，８ｄに嵌り込む位置に一対のフリクション凸部９ｃ，９ｃを有する突片９ｂ，９ｂが設けられている。
【００１８】
そして、第２固定フリクションワッシャー９のフリクション凸部９ｃ，９ｃは、ブラケット４に取り付けたディスプレイ装置１が、台部２に対して直立した９０°の位置から前方へ５°後方へ２５°傾動する範囲において幅の広い切欠部８ｃ，８ｃの中に位置し、２５°からディスプレイ装置１がさらに後方へ倒されると、フリクション凸部９ｃ，９ｃは回転フリクションワッシャー８の切欠部を設けないフリクション発生部８ｆ，８ｆと圧接し、水平位置になると、今度は幅の狭い切欠部８ｄ，８ｄ内へ嵌り込むように構成されている。尚、ここのところは、幅の狭い切欠部を省略しても良い。
【００１９】
尚、第１固定フリクションワッシャー７と第２固定フリクションワッシャー９には、小径の孔又は切欠から成る油溜部７ｂ，７ｂ・９ｄ，９ｄが設けられ、第１固定フリクションワッシャー７とブラケット４の圧接部、及び第２固定フリクションワッシャー９と回転フリクションワッシャー８の圧接部との間には、図示してないがグリスのような潤滑剤が塗布されている。
【００２０】
さらに、ブラケット４の縁部には、ストッパーワッシャー６のストッパー片６ｂを嵌合させる切欠部４ｃが形成されている。
【００２１】
したがって、図１に実線で示したように、モニターテレビＡの使用時において、台部２に対しディスプレイ装置１を直立状態か、或は前後に若干傾動させる場合には、実施の形態のものは前傾角度は直立状態から５°まで、後傾角度は２５°までの間は、ディスプレイ装置１と共に回動するブラケット４に固定された回転フリクションワッシャー８の幅の広い切欠部８ｃ，８ｃの中に第２固定フリクションワッシャー９のフリクション凸部９ｃ，９ｃが位置しているので、通常のフリクショントルクが第１固定フリクションワッシャー７及びブラケット４の圧接摺動面と、回転フリクションワッシャー８及び第２固定フリクションワッシャー９の圧接摺動面との間に創出され、ディスプレイ装置１は、フリーストップに停止保持される。
【００２２】
モニターテレビＡを梱包すべく、ディスプレイ装置１を図１に想像線で示したように台部２に対し水平状態に倒すべく、２５°からさらに後方へ傾けると、第２固定フリクションワッシャー９のフリクション凸部９ｃ，９ｃが、幅の広い切欠部８ｃ，８ｃを脱して回転フリクションワッシャー８のフリクション発生部８ｆ，８ｆと圧接状態となるので、強いフリクショントルクが発生するが、さらに後方へ押していくと、図１に想像線で示したように、台部２に対してディスプレイ装置１が水平状態になったところで、回転フリクションワッシャー８の幅の狭い切欠部８ｄ，８ｄへ第２固定フリクションワッシャー９のフリクション凸部９ｃ，９ｃが嵌入することによって停止し、この水平位置よりディスプレイ装置１を上下方向へ回動させようとすると、フリクション凸部９ｃ，９ｃが幅の狭い切欠部８ｄ，８ｄより脱出する際の抵抗に遭遇するので、この水平位置で安定することになり、梱包して運搬中に台部２とディスプレイ装置１の位置がずれてしまうことはない。
【００２３】
尚、ディスプレイ装置１は、液晶ディスプレイ装置に限定されず、プラズマテレビのプラズマディスプレイ装置、液晶テレビの液晶ディスプレイ装置を始めとする各種公知のディスプレイ装置や液晶表示パネルを被傾動体として含むものである。
【００２４】
【発明の効果】
この発明は以上のように構成したので、次のような効果を奏し得る。
【００２５】
請求項１のように構成すると、モニターテレビの使用時において、ディスプレイ装置を操作者が見やすい傾斜角度に安定停止保持させておくことができる上に、梱包時にはディスプレイ装置を台部に対して強いフリクショントルクを必要とする嵩張らない角度に傾斜させ、かつ、その傾斜位置で安定停止保持させておくことができるので、運搬時の揺れや振動でディスプレイ装置が台部に対して動いてしまうことにより、破損してしまうのを有効に防止することができるという効果を奏し得る。
【００２６】
請求項２のように構成すると、モニターテレビの使用時には第２固定フリクションワッシャーのフリクション凸部が回転フリクションワッシャーに設けた幅の広い切欠部内に嵌入されていることから、ディスプレイ装置を台部に対し見易い角度で保持するだけの通常のフリクショントルクを創出し、梱包時には、第２固定ワッシャーのフリクション凸部が回転フリクションワッシャーに圧接したり、幅の狭い切欠部内に嵌入することによって強いフリクショントルクを創出したり、ロックされたりすることができるという効果を奏し得る。
【図面の簡単な説明】
【図１】この発明に係る傾動装置を用いたモニターテレビを模式的に示す側面図である。
【図２】図１に示したモニターテレビに用いている傾動装置の正面図である。
【図３】図２に示した傾動装置を構成するフリクションヒンジの拡大正面図である。
【図４】図３に示したフリクションヒンジの動作を説明する左側面図である。
【図５】図２に示したフリクションヒンジのフリクション機構を説明する縦断面図である。
【図６】図５のＡ−Ａ線断面図である。
【図７】図３に対応し、図６の状態からブラケットを９０°時計方向へ回転させた状態の説明図である。
【図８】図６の状態における各部材の位置を示す分解図である。
【図９】ストッパーワッシャーの側面図と正面図である。
【図１０】第１固定フリクションワッシャーの側面図である。
【図１１】押え用ワッシャーの側面図である。
【符号の説明】
Ａ  モニターテレビ
Ｂ  フリクションヒンジ
Ｃ  フリクションヒンジ
１  ディスプレイ装置
２  台部
３  シャフト
３ａ  取付部
３ｂ  中径の変形軸部
３ｃ  小径の変形軸部
３ｄ  雄ネジ部
４  ブラケット
４ａ  円形挿通孔
４ｂ  ボス部
４ｃ  切欠部
５  フリクション機構
６  ストッパーワッシャー
６ａ  変形挿通孔
６ｂ  ストッパー片
７  第１固定フリクションワッシャー
７ａ  変形挿通孔
７ｂ  油溜部
８  回転フリクションワッシャー
８ａ  円形挿通孔
８ｂ  係合孔
８ｃ  切欠部
８ｄ  切欠部
８ｅ  トルク挿通片
８ｆ  フリクション発生部
９  第２固定フリクションワッシャー
９ａ  変形挿通孔
９ｂ  突片
９ｃ  フリクション凸部
９ｄ  油溜部
１０  皿ばね
１０ａ  円形挿通孔
１１  押え用ワッシャー
１１ａ  変形挿通孔
１２  締付ナット
【図１】
2004229106.tif 000003
【図２】
2004229106.tif 000004
【図３】
2004229106.tif 000005
【図４】
2004229106.tif 000006
【図５】
2004229106.tif 000007
【図６】
2004229106.tif 000008
【図７】
2004229106.tif 000009
【図８】
2004229106.tif 000010
【図９】
2004229106.tif 000011
【図１０】
2004229106.tif 000012
【図１１】
2004229106.tif 000013
【手続補正書】
【提出日】平成16年2月10日(2004.2.10)
【手続補正１】
【補正対象書類名】明細書
【補正対象項目名】００１６
【補正方法】変更
【補正の内容】
【００１６】
尤も、ここのところは、ボス部を第２固定フリクションワッシャー９に設け、係合孔をブラケット４側に設けても良い。さらにブラケット４を台部２上へ固定し、シャフト３側へディスプレイ装置１を取り付けた場合には、ブラケット４と回転フリクションワッシャー８は非回転となり、第１固定フリクションワッシャー７と第２固定フリクションワッシャー９は回転することになる。したがって、このような場合には、回転フリクションワッシャー８を固定フリクションワッシャーと読み替え、第１及び第２固定フリクションワッシャー７，９を、第１及び第２回転フリクションワッシャーと読み替えることになる。